(57)【要約】【課題】通常使用のスチームと増量スチームを同時に使用しても、効率よくスチームを発生させしわ伸ばしを効率よく仕上げることができるスチームアイロンを提供する。【解決手段】ヒータ２によって加熱され、通常スチームを発生させる気化室Ａ４と増量スチームを発生させる気化室Ｂ５を有するベース３と、通常スチームおよび増量スチームを噴出させるスチーム穴６と、ベース３の温度を感知する熱受感部（図示せず）と、熱受感部で感知された温度に応じてヒータ２への通電を制御してベース３の温度を調節する温度制御手段（図示せず）を備え、気化室Ｂ５で発生させた増量スチームを気化室Ａ４を経由させてスチーム穴６から噴出させるようにしたもので、増量スチームを発生させるための気化室通路長が通常スチームの通路より長くなり、スチーム穴６からの水漏れの問題もなく、効率よくスチームを発生させ、しわ伸ばしが効率よくできる。【選択図】図１
2007130127.tif 000002
【特許請求の範囲】
【請求項１】
ヒータによって加熱され、通常スチームを発生させる気化室Ａと増量スチームを発生させる気化室Ｂを有するベースと、前記通常スチームおよび前記増量スチームを噴出させるスチーム穴と、前記ベースの温度を感知する熱受感部と、前記熱受感部で感知された温度に応じて前記ヒータへの通電を制御して前記ベースの温度を調節する温度制御手段を備え、前記気化室Ｂで発生させた前記増量スチームを前記気化室Ａを経由させて前記スチーム穴から噴出させるようにしたスチームアイロン。
【請求項２】
熱受感部を、気化室Ｂの出口近傍に設けた請求項１に記載のスチームアイロン。
【請求項３】
気化室Ａ、Ｂに供給する水を蓄える水タンクと、前記水タンクから水を前記気化室Ａに滴下する滴下部を備え、前記気化室Ｂの出口を、前記気化室Ｂで発生させた増量スチームを前記滴下部と熱受感部の間から前記気化室Ａに導くように構成した請求項１又は２に記載のスチームアイロン。
【発明の詳細な説明】
【技術分野】
【０００１】
本発明は、衣類等のしわ伸ばしに用いられるスチームアイロンに関するものである。
【背景技術】
【０００２】
図３は、従来のこの種のスチームアイロンの内部構造を示す平面図で、スチームを発生させる気化室１４が１つだけ設けられているのが一般的であった（例えば、特許文献１参照）。
【特許文献１】特開平６−３１９９００号公報
【発明の開示】
【発明が解決しようとする課題】
【０００３】
アイロン掛けによるしわ伸ばしのメカニズムを説明すると、スチームアイロンの掛け面のスチーム穴から噴出された蒸気によって、衣類の繊維が熱と水分で膨潤し、繊維の変形部すなわち衣類しわが軟化し、その後直ちに通過する掛け面の熱で平面に成形乾燥されて、衣類のしわが伸ばされる。また、綿繊維の衣類のしわを伸ばすときには、増量のスチームを発生させることが必要である。
【０００４】
しかしながら、上記従来のスチームアイロンでは、図３のように１つの気化室１４で通常使用時のスチームと増量使用時のスチームを発生させるため、例えば通常スチームと増量スチームを同時に使用したとき、水を気化させる作用が不十分で、スチーム穴から水漏れ等をおこし、衣類のしわ伸ばしを効率良く仕上げることができないという課題があった。
【０００５】
本発明は、前記従来の課題を解決するもので、しわ伸ばしを効率よく仕上げられるスチームアイロンを提供することを目的とする。
【課題を解決するための手段】
【０００６】
前記従来の課題を解決するために、本発明のスチームアイロンは、ヒータによって加熱され、通常スチームを発生させる気化室Ａと増量スチームを発生させる気化室Ｂを有するベースと、前記通常スチームおよび前記増量スチームを噴出させるスチーム穴と、前記ベースの温度を感知する熱受感部と、前記熱受感部で感知された温度に応じて前記ヒータへの通電を制御して前記ベースの温度を調節する温度制御手段を備え、前記気化室Ｂで発生させた前記増量スチームを前記気化室Ａを経由させて前記スチーム穴から噴出させるようにしたもので、増量スチームを発生させるための気化室通路長が通常スチームの通路より長くなり、スチーム穴からの水漏れの問題もなく、効率よくスチームを発生させることができ、しわ伸ばしを効率よく行うことができるスチームアイロンを提供することができる。
【発明の効果】
【０００７】
本発明のスチームアイロンは、増量スチームを発生させるための気化室通路長が長くなり、スチームの供給が安定するので、しわ伸ばしを効率よく仕上げることができる。
【発明を実施するための最良の形態】
【０００８】
第１の発明は、ヒータによって加熱され、通常スチームを発生させる気化室Ａと増量スチームを発生させる気化室Ｂを有するベースと、前記通常スチームおよび前記増量スチームを噴出させるスチーム穴と、前記ベースの温度を感知する熱受感部と、前記熱受感部で感知された温度に応じて前記ヒータへの通電を制御して前記ベースの温度を調節する温度制御手段を備え、前記気化室Ｂで発生させた前記増量スチームを前記気化室Ａを経由させて前記スチーム穴から噴出させるようにしたもので、増量スチームを発生させるための気化室通路長が通常スチームの通路より長くなり、スチーム穴からの水漏れの問題もなく、効率よくスチームを発生させることができ、しわ伸ばしを効率よく行うことができるスチームアイロンを提供することができる。
【０００９】
第２の発明は、特に、第１の発明の熱受感部を、気化室Ｂの出口近傍に設けたもので、増量スチーム時にベースの温度低下に対して、熱の受感がよくなり、安定したスチームを供給することができ、効率よくアイロン掛けを行えるスチームアイロンを提供することができる。
【００１０】
第３の発明は、特に、第１又は第２の発明の気化室Ａ、Ｂに供給する水を蓄える水タンクと、前記水タンクから水を前記気化室Ａに滴下する滴下部を備え、前記気化室Ｂの出口を、前記気化室Ｂで発生させた増量スチームを前記滴下部と熱受感部の間から前記気化室Ａに導くように構成したもので、通常スチームの滴下部の熱が増量スチームによる影響がないので、安定した通常スチームを供給することができ、効率よくアイロン掛けを行えるスチームアイロンを提供することができる。
【００１１】
以下、本発明の実施の形態について、図面を参照しながら説明する。なお、本実施の形態によって本発明が限定されるものではない。
【００１２】
（実施の形態１）
図１は、本発明の第１の実施の形態におけるスチームアイロンの気化室を示す平面図、図２は、同スチームアイロンの要部断面図である。
【００１３】
図１、図２において、スチームアイロンのアイロン本体１は、ヒータ２により加熱されるベース３と、ベース３の上面に配され通常スチームを発生させる気化室Ａ４と増量スチームを発生させる気化室Ｂ５と、ベース３の下面に気化室Ａ４、気化室Ｂ５から発生したスチームを噴出させるスチーム穴６と、ベース２の温度を感知する熱受感部７と、気化室Ａ４側に設けられ熱受感部７を取り付ける熱受感部取付部８と、熱受感部７で感知された温度に応じてヒータ２への通電を制御してベース３の温度を制御する温度制御手段９と、気化室Ａ４と気化室Ｂ５に水を供給する水タンク１０と、水タンク１０から水を気化室Ａ４に滴下する滴下部１１と、多量のスチームを発生させるため、気化室Ｂ５側に設けられ水タンク１０から水を供給するポンプ装置１２と、ポンプ装置１２から気化室Ｂ５へ水を排出する吐出口１３とを備えている。
【００１４】
なお、気化室Ｂ５の蒸気が排出される出口５ａは、気化室Ａ４と連通すると共に、滴下部１１と熱受感部７の間に設けられている。
【００１５】
なお、その他の構成は、従来よく知られたスチームアイロンと同様であるので、詳しい説明は省略する。
【００１６】
以上のように構成されたスチームアイロンの作用、動作について、以下に説明する。
【００１７】
なお、スチームアイロンとしての基本的な動作は、従来よく知られたものと同様であるので、詳しい説明は省略する。
【００１８】
ベース３が、水の気化温度に加熱されているとき、ポンプ装置１２から吐出口１３を通って気化室Ｂ５に水が侵入し、気化室Ａ４を経由して水が気化されスチームを発生させることができる。このとき、増量スチームを発生させるための気化室通路長が通常スチームの通路より長くなるので、スチーム穴６からの水漏れの問題もなく、効率よくスチームを発生させることができ、しわ伸ばしを効率よく行うことができるスチームアイロンを実現させることができる。
【００１９】
また、図１に示すように、熱受感部７を気化室Ｂ５の出口５ａ近傍に設けることにより、増量スチーム時にベース３の温度低下に対して、熱の受感がよくなり、安定したスチームを提供することができ、効率よくアイロン掛けを行えるスチームアイロンを実現させることができる。
【００２０】
また、気化室Ｂ５の出口５ａを滴下部１１と熱受感部７の間に設けることにより、通常スチームの滴下部１１の熱が増量スチームによる影響がないので、安定した通常スチームを提供することができ、効率よくアイロン掛けを行えるスチームアイロンを実現させることができる。
【産業上の利用可能性】
【００２１】
以上のように、本発明にかかるスチームアイロンは、増量スチームを発生させるための気化室通路長が長くなり、スチームを安定して供給できるので、しわ伸ばしを効率よく仕上げることができるもので、家庭用、業務用のスチームアイロンに広く適用できる。
【図面の簡単な説明】
【００２２】
【図１】本発明の実施の形態１におけるスチームアイロンの気化室を示した平面図
【図２】同スチームアイロンの要部断面図
【図３】従来のスチームアイロンの気化室を示した平面図
【符号の説明】
【００２３】
１  アイロン本体
２  ヒータ
３  ベース
４  気化室Ａ
５  気化室Ｂ
６  スチーム穴
７  熱受感部
９  温度制御手段
【図１】
2007130127.tif 000003
【図２】
2007130127.tif 000004
【図３】
2007130127.tif 000005